(57)【要約】      （修正有）【課題】具材の充填量を減少させることができ、かつ使用者の頭部の安定性を向上させることができる枕を提供する。【解決手段】枕１０は、使用者の首部を支持する首支持部１１と、使用者の頭部を支持する頭支持部１２とが内側に固設された外袋Ｐを有し、首支持部１１は、第１具材Ｇ１が充填された第１充填室３２ａと、第１充填室３２ａの下方に設けられ、第２具材Ｇ２が充填され、第１充填室３２ａを下側から支持する第２充填室４２ａと、を有し、頭支持部１２は、第２充填室４２ａよりも後方に設けられ、第３具材Ｇ３が充填された第３充填室３２ｃを有し、首支持部１１よりも低い位置で頭部を支持する。【選択図】図７
0003229818.tif 000002
【実用新案登録請求の範囲】
【請求項１】
使用者の首部を支持する首支持部と、前記使用者の頭部を支持する頭支持部とが内側に固設された外袋を有し、
前記首支持部は、
第１具材が充填された第１充填室と、
前記第１充填室の下方に設けられ、第２具材が充填され、前記第１充填室を下側から支持する第２充填室と、を有し、
前記頭支持部は、前記第２充填室よりも後方に設けられ、第３具材が充填された第３充填室を有し、前記首支持部よりも低い位置で前記頭部を支持する、
枕。
【請求項２】
前記外袋は、上側生地と下側生地を有し、
前記上側生地と前記下側生地の間には、中間生地が設けられ、
前記第１充填室と前記第３充填室の各々は、前記上側生地と前記中間生地の間に設けられる、
請求項１に記載の枕。
【請求項３】
前記上側生地と前記中間生地の間に襠を有し、
前記襠は、前記第１充填室と前記第３充填室を区画する、
請求項２に記載の枕。
【請求項４】
前記第２充填室は、前記中間生地と前記下側生地の間に設けられる、請求項２又は３に記載の枕。
【請求項５】
前記第２充填室は、前記外袋の内側の前半部に設けられ、前記外袋の前縁内側部から両側縁内側部にかけて接合された内袋である、請求項４に記載の枕。
【請求項６】
前記第１充填室は、前記第１具材を充填するための第１充填口を有し、
前記第２充填室は、前記第２具材を充填するための第２充填口を有し、
前記第３充填室は、前記第３具材を充填するための第３充填口を有し、
前記下側生地は、開閉自在な開口を有し、
前記第１充填口、前記第２充填口、及び前記第３充填口は、前記開口を開くと外部に連通する、
請求項２から５のいずれか１項に記載の枕。
【請求項７】
前記中間生地と前記第２充填室の間、及び前記第２充填室と前記下側生地の間の少なくともいずれか一方に高さ調整部材が設けられる、請求項２から６のいずれか１項に記載の枕。
【請求項８】
前記第１具材は、前記第２具材及び前記第３具材よりも柔軟性が高い、請求項１から７のいずれか１項に記載の枕。
【請求項９】
第４充填室を有し、
前記第４充填室は、前記第１充填室と前記第３充填室の間に設けられる、
請求項１から８のいずれか１項に記載の枕。
【考案の詳細な説明】
【技術分野】
【０００１】
本考案は、枕に関する。
【背景技術】
【０００２】
従来、充填する部位に応じて具材の量や種類を調整することができる枕がある。例えば、特許第４５５３９５１号公報には、枕の上面を構成する上側生地の内側に、具材を充填する第１充填部を配置し、枕の下面を構成する下側生地の内側に、具材を充填する第２充填部を配置し、上側生地の少なくとも一部を下側生地から分離可能な状態で接合する枕が開示される。
【先行技術文献】
【特許文献】
【０００３】
【特許文献１】特許第４５５３９５１号公報
【考案の概要】
【考案が解決しようとする課題】
【０００４】
しかしながら、従来の枕は、全体に亘って延在する２段の充填部が使用者の頭部の支持位置を高くし、頭部を支持する部位の具材の充填量が増大し、製造及び高さ調整にかかる金銭的コスト及び時間的コストを大きくする。
【０００５】
また、従来の枕は、全体に亘って２段の充填部が延在することによって頭部の支持位置が首部の支持位置よりも低くなるように高さを丁度よく調整することが難しく、頭部の安定性が低下することがある。
【０００６】
そこで、本考案は、具材の充填量を減少させることができ、かつ使用者の頭部の安定性を向上させることができる枕を提供することを目的とする。
【課題を解決するための手段】
【０００７】
本考案の一態様の枕は、使用者の首部を支持する首支持部と、前記使用者の頭部を支持する頭支持部とが内側に固設された外袋を有し、前記首支持部は、第１具材が充填された第１充填室と、前記第１充填室の下方に設けられ、第２具材が充填され、前記第１充填室を下側から支持する第２充填室と、を有し、前記頭支持部は、前記第２充填室よりも後方に設けられ、第３具材が充填された第３充填室を有し、前記首支持部よりも低い位置で前記頭部を支持する。
【考案の効果】
【０００８】
本考案によれば、具材の充填量を減少させることができ、かつ使用者の頭部の安定性を向上させることができる枕を提供することができる。
【図面の簡単な説明】
【０００９】
【図１】本考案の実施形態に係る、枕の外観構成を示す斜視図である。
【図２】本考案の実施形態に係る、枕の外観構成を示す右側面図である。
【図３】本考案の実施形態に係る、枕の外観構成を示す前面図である。
【図４】本考案の実施形態に係る、枕の外観構成を示す後面図である。
【図５】本考案の実施形態に係る、枕の外観構成を示す上面図である。
【図６】本考案の実施形態に係る、枕の中間生地の下面の構成を示す図である。
【図７】本考案の実施形態に係る、枕の左右方向の中央部を前後方向に切断した断面図である。
【図８】本考案の実施形態に係る、枕の左右方向の両側部の一方を前後方向に切断した断面図である。
【図９】本考案の実施形態に係る、枕の下面図である。
【図１０】本考案の実施形態に係る、枕の下側生地の開口を開いた状態を説明する説明図である。
【図１１】本考案の実施形態に係る、枕の使用状態を説明するための説明図である。
【図１２】本考案の実施形態の変形例に係る、枕の左右方向の中央部を前後方向に切断した断面図である。
【考案を実施するための形態】
【００１０】
以下、図面を参照しながら、本考案の実施形態を説明する。
【００１１】
図１〜図５は、本考案の実施形態に係る、枕１０の外観構成を示す図である。図１が斜視図であり、図２が右側面図であり、図３が前面図であり、図４が後面図であり、図５が上面図である。
【００１２】
本明細書では、枕１０を蒲団又は床の上で用いる際、蒲団等がある方向を下といい、蒲団等がある方向の鉛直反対方向を上という。また、使用者が仰向けとなって枕１０に頭部を載せた際、使用者の足部がある方向を前といい、使用者の頭部がある方向を後といい、使用者の一方の手部がある方向を右といい、使用者の他方の手部がある方向を左という。
【００１３】
図１〜図４に示すように、枕１０は、横長長方形状を有する。枕１０の左右方向の中央部の前側には、首支持部１１が設けられる。首支持部１１は、前側部が後方に向けて凹となる凹形状を有し、使用者の首部を支持する。枕１０の中央部の後側には、頭支持部１２が設けられる。頭支持部１２は、首支持部１１から緩やかに沈降するように形成され、首支持部１１よりも低い位置において、使用者の頭部を支持する。枕１０の左右方向の両側部の各々の前側には、肩受け部１３が設けられる。肩受け部１３は、首支持部１１から緩やかに隆起するように形成され、使用者の肩口を受ける。
【００１４】
枕１０は、上側生地２０、中間生地３０、内袋４０、及び下側生地５０を有する。上側生地２０と下側生地５０は、外袋Ｐを構成する。外袋Ｐの内側には、中間生地３０と内袋４０が設けられる（図１の破線）。
【００１５】
図５に示すように、上側生地２０は、横長長方形状を有し、前後方向に延在する２つの接ぎ線２１ａによって中央部と両側部が区画される。上側生地２０は、例えば、抗ウィルス加工が施され、触感性に優れた綿を材質とする布によって構成される。
【００１６】
中央部は、さらに、左右方向に延在する２つの接ぎ線２１ｂによって前後３つに区画される。
【００１７】
両側部の各々は、さらに、左右方向に延在する接ぎ線２１ｃによって前後２つに区画される。
【００１８】
以下、接ぎ線２１ａ、２１ｂ、２１ｃの一部又はすべてを示すとき、接ぎ線２１という。
【００１９】
接ぎ線２１には、中間生地３０との間に設けられた襠２２（図７及び図８）の上縁部が接合される。
【００２０】
図６は、枕１０の中間生地３０の下面の構成を示す図である。図６に示すように、中間生地３０は、横長長方形状を有し、外袋Ｐの内側の縁部に接合される。中間生地３０は、接ぎ線２１の各々に対応する位置に接ぎ線３１を有し、襠２２の下縁部が接合される。
【００２１】
図７は、枕１０の左右方向の中央部を前後方向に切断した断面図である。図７に示すように、中央部では、上側生地２０と中間生地３０の間に襠２２を設けて区画することにより、前側から後側に向かって順に、具材Ｇを充填するための充填室３２ａ〜３２ｃが設けられる。
【００２２】
図８は、枕１０の左右方向の両側部の一方を前後方向に切断した断面図である。図８に示すように、両側部には、上側生地２０と中間生地３０の間に襠２２を設けて区画することにより、前側に充填室３２ｄが設けられ、また、後側に充填室３２ｅが設けられる。
【００２３】
充填室３２ａ〜３２ｅの各々には、充填口３３ａ〜３３ｅの各々が中間生地３０に設けられ、ファスナーによって開閉可能にされる。
【００２４】
内袋４０は、中間生地３０の下方において、外袋Ｐの内側の前半部に設けられ、外袋Ｐの前縁内側部から両側縁内側部にかけて接合される。内袋４０内は、前後方向に延在する２つの襠４１（図１０の破線）によって左右３つに区画され、中央部に充填室４２ａが設けられ（図７）、また、両側部に充填室４２ｂが設けられる（図８）。充填室４２ａ、４２ｂの各々には、後側に、充填口４３ａ、４３ｂが設けられ、ファスナーによって開閉可能にされる。
【００２５】
以下、充填室３２ａ〜３２ｅ、４２ａ、４２ｂの一部又はすべて示すとき、充填室Ｆｒという。また、充填口３３ａ〜３３ｅ、４３ａ、４３ｂの一部又はすべてを示すとき、充填口Ｆｏという。
【００２６】
充填口Ｆｏの各々の周縁部には、具材Ｇを充填する際にガイドするための筒状のガイド布（図示省略）が取り付けられる。ガイド布は、充填口Ｆｏを閉じる際に、使用者によって充填室Ｆｒ内に押し込まれる。
【００２７】
充填室Ｆｒに充填される具材Ｇ（Ｇ１、Ｇ２、Ｇ３）について、より具体的に説明すると、充填室３２ａ、３２ｄには、使用者の首部及び肩口を受けた際の触感性を向上させることができるように、柔軟性の高い具材Ｇ１が充填される。具材Ｇ１は、例えば、綿である。
【００２８】
また、充填室３２ｂ、４２ａ、４２ｂには、使用者の首部によって押圧された際に、高さを維持できるように、具材Ｇ１よりも柔軟性が低く、保形性に優れた具材Ｇ２が充填される。具材Ｇ２は、例えば、弾力性を有する粒状物であり、より具体的には、中空状の樹脂からなるアクアビーズである。
【００２９】
また、充填室３２ｃ、３２ｅには、使用者の頭部を支持できるように、具材Ｇ１よりも柔軟性が低く、保形性に優れた具材Ｇ３が充填される。具材Ｇ３は、具材Ｇ２よりも保形性に優れた素材を用いてもよい。具材Ｇ３は、例えば、弾力性を有する粒状物であり、より具体的には、中空状の樹脂からなるドングリビーズである。
【００３０】
図９は、枕１０の下面図である。図９に示すように、下側生地５０は、横長長方形状を有し、上側生地２０と縁部同士が接合され、中間生地３０と内袋４０を下から覆う。下側生地５０は、例えば、速乾性に優れたポリエステルを材質とする。下側生地５０は、前側生地５１、後側生地５２、及び開口５３を有する。前側生地５１の後縁部と後側生地５２の前縁部は、互いに接合される。開口５３は、前側生地５１と後側生地５２の境界に設けられ、ファスナーによって開閉可能にされる。
【００３１】
図１０は、枕１０の下側生地５０の開口５３を開いた状態を説明する説明図である。図１０に示すように、使用者が、開口５３を開くと、充填口Ｆｏは、外部と連通する。続いて、使用者は、所望の充填口Ｆｏを開き、ガイド布を介して充填室Ｆｒに応じた具材Ｇを適量充填する。充填後、使用者は、実際に首部及び頭部を枕１０上に載せ、寝心地を確かめ、好みに応じて充填室Ｆｒ内の具材Ｇの量を増減させる。枕１０は、これを繰り返すことによって首支持部１１及び頭支持部１２を丁度よい高さに調整することができる。
【００３２】
図１１は、枕１０の使用状態を説明するための説明図である。図１１に示すように、首支持部１１は、具材Ｇ１が充填された充填室３２ａと、充填室３２ａの下方に設けられ、具材Ｇ２が充填され、充填室３２ａを下側から支持する充填室４２ａを有し、使用者の首部を支持する。
【００３３】
頭支持部１２は、充填室４２ａよりも後方に設けられ、具材Ｇ３が充填された充填室３２ｃを有し、使用者の頭部を支持する位置が、首支持部１１よりも低い位置で使用者の頭部を支持する。
【００３４】
本実施形態における具材Ｇ１が第１具材であり、具材Ｇ２が第２具材であり、具材Ｇ３が第３具材であり、充填室３２ａが第１充填室であり、充填室４２ａが第２充填室であり、充填室３２ｃが第３充填室である。
【００３５】
すなわち、首支持部１１は、第１具材が充填された第１充填室を有する。また、首支持部１１は、第１充填室の下方に設けられ、第２具材が充填され、第１充填室を下側から支持する第２充填室を有する。頭支持部１２は、第２充填室よりも後方に設けられ、第３具材が充填された第３充填室を有し、首支持部１１よりも低い位置で使用者の頭部を支持する。これにより、枕１０は、首支持部１１が上下２段構造を有し、頭支持部１２が１段構造を有し、使用者の頭部の支持位置が首部の支持位置よりも低くなるように高さを丁度よく調整することができる。また、枕１０は、頭支持部１２の具材Ｇの充填量を減少させることができ、製造や高さ調整にかかる金銭的コストや時間的コストを減少させることができる。
【００３６】
また、外袋Ｐは、上側生地２０と下側生地５０を有し、上側生地２０と下側生地５０の間には、中間生地３０が設けられる。第１充填室と第３充填室の各々は、上側生地２０と中間生地３０の間に設けられる。これにより、枕１０は、使用者の首部と頭部への密着度を向上させることができる。
【００３７】
また、外袋Ｐは、上側生地２０と中間生地３０の間に襠２２を有し、襠２２は、第１充填室と第３充填室を区画する。これにより、第１充填室と第３充填室に厚みを持たせることができる。
【００３８】
また、第２充填室は、中間生地３０と下側生地５０の間に設けられる。第２充填室は、外袋Ｐの内側の前半部に設けられ、外袋Ｐの前縁内側部から両側縁内側部にかけて接合された内袋４０である。これにより、第２充填室は、第１充填室の下側において外袋Ｐに固定され、より確実に下側から第１充填室を支持することができる。
【００３９】
また、第１充填室は、第１具材を充填するための第１充填口を有する。第２充填室は、第２具材を充填するための第２充填口を有する。第３充填室は、第３具材を充填するための第３充填口を有する。下側生地５０は、開閉自在な開口５３を有し、第１充填口、第２充填口、及び第３充填口は、開口５３を開くと外部に連通する。開口５３及び充填口Ｆｏを開けることによってより簡便に充填室Ｆｒの具材Ｇの量を調整することができ、充填口Ｆｏ及び開口５３を閉じることによって具材Ｇの零れ落ちを防ぐことができる。
【００４０】
また、第１具材は、第２具材及び第３具材よりも柔軟性が高い。これにより、下段に配置された第２具材及び第３具材によって保形性が向上し、上段に配置された柔軟性の高い第１具材によって触感性が向上する。
【００４１】
また、枕１０は、第４充填室である充填室３２ｂを有し、第４充填室は、第１充填室と第３充填室の間に設けられる。第４充填室に充填される第２具材の調整により、枕１０は、一層触感性を向上させることができる。
【００４２】
実施形態によれば、枕１０は、具材Ｇの充填量を減少させることができ、かつ使用者の頭部の安定性を向上させることができる。
【００４３】
（変形例）  
実施形態では、充填室Ｆｒに充填する具材Ｇの量を調整することによって高さ調整が行われるが、高さ調整の手段は、これに限定されない。高さ調整は、首支持部１１に高さ調整部材６０を設置することによって行われてもよい。本変形例の説明では、実施形態と同じ構成については、説明を省略する。
【００４４】
図１２は、枕１０の左右方向の中央部を前後方向に切断した断面図である。枕１０には、中間生地３０と第２充填室の間、及び第２充填室と下側生地５０の間の少なくともいずれか一方に高さ調整部材６０が設けられる。高さ調整部材６０は、例えば、ウレタン等の弾性材からなる板である。
【００４５】
これにより、枕１０は、より簡便に高さ調整を行うことができ、具材Ｇの充填量を減少させることができ、かつ使用者の頭部の安定性を向上させることができる。
【００４６】
なお、実施形態及び変形例では、具材Ｇが綿（Ｇ１）、アクアビーズ（Ｇ２）、ドングリビーズ（Ｇ３）の例を説明したが、具材Ｇは、これに以外にも、そば殻、パンヤ、シンセテンホールビーズ、羽毛、木片チップ、液体または気体を内包したパック、又はウレタン等であってもよい。
【００４７】
以上、本考案の実施例を図面により詳述したが、本考案の具体的な構成はこの実施例に限られるものではなく、本考案の要旨を逸脱しない範囲の設計の変更等があっても本考案に含まれる。例えば、実施形態及び変形例では、充填室Ｆｒは、７つあるが、さらに別の充填室Ｆｒがあってもよい。
【産業上の利用可能性】
【００４８】
本考案によれば、具材の充填量を減少させることができ、かつ使用者の頭部の安定性を向上させることができる枕を提供することができる。
【符号の説明】
【００４９】
１０    枕
１１    首支持部
１２    頭支持部
１３    肩受け部
２０    上側生地
３０    中間生地
３２ａ  第１充填室
３２ｃ  第３充填室
４０    内袋
４２ａ  第２充填室
５０    下側生地
５３    開口
６０    高さ調整部材
Ｆｒ    充填室
Ｆｏ    充填口
Ｇ      具材
Ｐ      外袋
【図１】
0003229818.tif 000003
【図２】
0003229818.tif 000004
【図３】
0003229818.tif 000005
【図４】
0003229818.tif 000006
【図５】
0003229818.tif 000007
【図６】
0003229818.tif 000008
【図７】
0003229818.tif 000009
【図８】
0003229818.tif 000010
【図９】
0003229818.tif 000011
【図１０】
0003229818.tif 000012
【図１１】
0003229818.tif 000013
【図１２】
0003229818.tif 000014